(57)【要約】  ワイヤレス通信のための方法および装置を提供する。ある態様では、ユーザ機器の複数のアンテナから送信を受信し、複数のアンテナからの送信電力のアンバランスに基づいている差分電力制御メッセージを送信する。別の態様では、ユーザ機器の複数のアンテナからの送信電力のアンバランスに基づいている差分電力制御メッセージを受信し、そのメッセージに基づいて、複数のアンテナのうちの１つ以上からの送信電力を変えることによってアンバランスを補償する。【選択図】図７
2013531412.tif 000002
【特許請求の範囲】
【請求項１】
ワイヤレス通信のための方法において、
ユーザ機器の複数のアンテナからの送信を受信することと、
前記複数のアンテナからの送信電力のアンバランスに基づいている差分電力制御メッセージを送信することとを含む方法。
【請求項２】
前記メッセージは、共通の値と差分値とを含む請求項１記載の方法。
【請求項３】
前記差分値は、前記共通の値よりも少ない頻度で送信される請求項２記載の方法。
【請求項４】
前記送信を受信することは、前記複数のアンテナのそれぞれから、サウンディング基準信号と、復調基準信号とのうちの１つを受信することを含む請求項１記載の方法。
【請求項５】
ワイヤレス通信のための装置において、
ユーザ機器の複数のアンテナからの送信を受信する手段と、
前記複数のアンテナからの送信電力のアンバランスに基づいている差分電力制御メッセージを送信する手段とを具備する装置。
【請求項６】
前記メッセージは、共通の値と差分値とを含む請求項５記載の装置。
【請求項７】
前記差分値は、前記共通の値よりも少ない頻度で送信される請求項６記載の装置。
【請求項８】
前記送信を受信する手段は、前記複数のアンテナのそれぞれから、サウンディング基準信号と、復調基準信号とのうちの１つを受信する手段を備える請求項５記載の装置。
【請求項９】
ワイヤレス通信のための装置において、
ユーザ機器の複数のアンテナからの送信を受信し、前記複数のアンテナからの送信電力のアンバランスに基づいている差分電力制御メッセージを送信するように構成されている少なくとも１つのプロセッサを具備する装置。
【請求項１０】
前記メッセージは、共通の値と差分値とを含む請求項９記載の装置。
【請求項１１】
前記差分値は、前記共通の値よりも少ない頻度で送信される請求項１０記載の装置。
【請求項１２】
前記少なくとも１つのプロセッサは、前記複数のアンテナのそれぞれから、サウンディング基準信号と、復調基準信号とのうちの１つを受信するように構成されている請求項９記載の装置。
【請求項１３】
コンピュータ読み取り可能記憶媒体を具備するコンピュータプログラムプロダクトにおいて、
前記コンピュータ読み取り可能記憶媒体は、
ユーザ機器の複数のアンテナからの送信をコンピュータに受信させるための命令と、
前記複数のアンテナからの送信電力のアンバランスに基づいている差分電力制御メッセージを前記コンピュータに送信させるための命令とを含むコンピュータプログラムプロダクト。
【請求項１４】
前記メッセージは、共通の値と差分値とを含む請求項１３記載のコンピュータプログラムプロダクト。
【請求項１５】
前記差分値は、前記共通の値よりも少ない頻度で送信される請求項１４記載のコンピュータプログラムプロダクト。
【請求項１６】
前記送信を前記コンピュータに受信させるための命令は、前記複数のアンテナのそれぞれから、サウンディング基準信号と、復調基準信号とのうちの１つを前記コンピュータに受信させるための命令を含む請求項１３記載のコンピュータプログラムプロダクト。
【請求項１７】
ワイヤレス通信のための方法において、
ユーザ機器（ＵＥ）の複数のアンテナからの送信電力のアンバランスに基づいている差分電力制御メッセージを受信することと、
前記メッセージに基づいて、前記複数のアンテナのうちの１つ以上からの送信電力を変えることによって前記アンバランスを補償することとを含む方法。
【請求項１８】
前記メッセージは、共通の値と差分値とを含む請求項１７記載の方法。
【請求項１９】
前記差分値は、前記共通の値よりも少ない頻度で受信される請求項１８記載の方法。
【請求項２０】
前記アンバランスを補償することは、前記差分値に基づいている請求項１８記載の方法。
【請求項２１】
前記アンバランスを補償することは、前記差分値と、前に受信した差分値との組み合わせに基づいている請求項１８記載の方法。
【請求項２２】
前記アンバランスを補償することは、前記ＵＥの現在の送信電力にさらに基づいている請求項１７記載の方法。
【請求項２３】
前記ＵＥの送信電力は、前記複数のアンテナのうちの１つ以上からの前記送信電力を変える際に実質的に同じままである請求項１７記載の方法。
【請求項２４】
前記ＵＥの送信電力は、前記ＵＥの複数のアンテナからの送信電力の合計に等しい請求項２３記載の方法。
【請求項２５】
前記複数のアンテナのそれぞれに対する受信したダウンリンクのパス損失の測定値に基づいて、パス損失を決定することと、
前記複数のアンテナのそれぞれに対する前記測定値に基づいて、前記複数のアンテナのうちの１つ以上からの送信電力を変えることによって前記パス損失を補償することとさらに含む請求項１７記載の方法。
【請求項２６】
前記複数のアンテナのそれぞれから、サウンディング基準信号（ＳＲＳ）と、復調基準信号（ＤＭ−ＲＳ）とのうちの１つを送信することをさらに含む請求項１７記載の方法。
【請求項２７】
前記アンバランスを補償することは、前記複数のアンテナのそれぞれからの前記ＳＲＳと前記ＤＭ−ＲＳとのうちの１つに適用される請求項２６記載の方法。
【請求項２８】
ワイヤレス通信のための装置において、
ユーザ機器（ＵＥ）の複数のアンテナからの送信電力のアンバランスに基づいている差分電力制御メッセージを受信する手段と、
前記メッセージに基づいて、前記複数のアンテナのうちの１つ以上からの送信電力を変えることによって前記アンバランスを補償する手段とを具備する装置。
【請求項２９】
前記メッセージは、共通の値と差分値とを含む請求項２８記載の装置。
【請求項３０】
前記差分値は、前記共通の値よりも少ない頻度で受信される請求項２９記載の装置。
【請求項３１】
前記アンバランスを補償する手段は、前記差分値に基づいている請求項２９記載の装置。
【請求項３２】
前記アンバランスを補償する手段は、前記差分値と、前に受信した差分値との組み合わせに基づいている請求項２９記載の装置。
【請求項３３】
前記アンバランスを補償する手段は、前記ＵＥの現在の送信電力にさらに基づいている請求項２８記載の装置。
【請求項３４】
前記ＵＥの送信電力は、前記複数のアンテナのうちの１つ以上からの前記送信電力を変える際に実質的に同じままである請求項２８記載の装置。
【請求項３５】
前記ＵＥの送信電力は、前記ＵＥの複数のアンテナからの送信電力の合計に等しい請求項３４記載の装置。
【請求項３６】
前記複数のアンテナのそれぞれに対する受信したダウンリンクのパス損失の測定値に基づいて、パス損失を決定する手段と、
前記複数のアンテナのそれぞれに対する前記測定値に基づいて、前記複数のアンテナのうちの１つ以上からの送信電力を変えることによって前記パス損失を補償する手段とさらに具備する請求項２８記載の装置。
【請求項３７】
前記複数のアンテナのそれぞれから、サウンディング基準信号（ＳＲＳ）と、復調基準信号（ＤＭ−ＲＳ）とのうちの１つを送信する手段をさらに具備する請求項２８記載の装置。
【請求項３８】
前記アンバランスを補償する手段は、前記複数のアンテナのそれぞれからの前記ＳＲＳと前記ＤＭ−ＲＳとのうちの１つに適用される請求項３７記載の装置。
【請求項３９】
ワイヤレス通信のための装置において、
ユーザ機器（ＵＥ）の複数のアンテナからの送信電力のアンバランスに基づいている差分電力制御メッセージを受信し、前記メッセージに基づいて、前記複数のアンテナのうちの１つ以上からの送信電力を変えることによって前記アンバランスを補償するように構成されている少なくとも１つのプロセッサを具備する装置。
【請求項４０】
前記メッセージは、共通の値と差分値とを含む請求項３９記載の装置。
【請求項４１】
前記アンバランスに対する補償は、前記差分値に基づいている請求項４０記載の装置。
【請求項４２】
前記アンバランスに対する補償は、前記差分値と、前に受信した差分値との組み合わせに基づいている請求項４０記載の装置。
【請求項４３】
前記アンバランスに対する補償は、前記ＵＥの現在の送信電力にさらに基づいている請求項３９記載の装置。
【請求項４４】
前記少なくとも１つのプロセッサは、
前記複数のアンテナのそれぞれに対する受信したダウンリンクのパス損失の測定値に基づいて、パス損失を決定し、
前記複数のアンテナのそれぞれに対する前記測定値に基づいて、前記複数のアンテナのうちの１つ以上からの送信電力を変えることによって前記パス損失を補償するようにさらに構成されている請求項３９記載の装置。
【請求項４５】
コンピュータ読み取り可能記憶媒体を具備するコンピュータプログラムプロダクトにおいて、
前記コンピュータ読み取り可能記憶媒体は、
ユーザ機器（ＵＥ）の複数のアンテナからの送信電力のアンバランスに基づいている差分電力制御メッセージをコンピュータに受信させるための命令と、
前記メッセージに基づいて、前記複数のアンテナのうちの１つ以上からの送信電力を変えることによって前記アンバランスを前記コンピュータに補償させるための命令とを含むコンピュータプログラムプロダクト。
【請求項４６】
前記メッセージは、共通の値と差分値とを含む請求項４５記載のコンピュータプログラムプロダクト。
【請求項４７】
前記アンバランスに対する補償は、前記差分値に基づいている請求項４６記載のコンピュータプログラムプロダクト。
【請求項４８】
前記アンバランスに対する補償は、前記差分値と、前に受信した差分値との組み合わせに基づいている請求項４６記載のコンピュータプログラムプロダクト。
【請求項４９】
前記アンバランスに対する補償は、前記ＵＥの現在の送信電力にさらに基づいている請求項４５記載のコンピュータプログラムプロダクト。
【請求項５０】
前記コンピュータ読み取り可能記憶媒体は、
前記複数のアンテナのそれぞれに対する受信したダウンリンクのパス損失の測定値に基づいて、パス損失を前記コンピュータに決定させるための命令と、
前記複数のアンテナのそれぞれに対する前記測定値に基づいて、前記複数のアンテナのうちの１つ以上からの送信電力を変えることによって前記パス損失を前記コンピュータに補償させるための命令とをさらに含む請求項４５記載のコンピュータプログラムプロダクト。
【発明の詳細な説明】
【関連出願に対する相互参照】
【０００１】
本特許出願は、２０１０年５月７日に出願された、“マルチアンテナシステムに対する、送信電力依存アンバランス補償”と題する米国仮特許出願シリアル番号第６１／３３２，６５４の利益を主張し、この出願は、本特許出願の譲受人に譲渡され、それにより、参照によりここに明確に組み込まれている。
【技術分野】
【０００２】
本開示のある態様は、一般的に、ワイヤレス通信に関連し、さらに詳細に述べると、アンバランス補償によって得られる、低電力レベルでの改善したリンク効率の利益と、高電力レベルでのバッテリー寿命を保存することの利益とを組み合わせることに関連する。
【背景】
【０００３】
音声や、データのような、さまざまなタイプの通信コンテンツを提供するために、ワイヤレス通信システムが広範囲に展開されている。これらのシステムは、利用可能なシステムリソース（例えば、帯域幅および送信電力）を共有することによって、複数のユーザとの通信をサポートできる多元接続システムであってもよい。このような多元接続システムの例は、コード分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および直交周波数分割多元接続（ＯＦＤＭＡ）システムを含む。
【０００４】
一般的に、ワイヤレス多元接続通信システムは、複数の端末に対する通信を同時にサポートできる。各端末は、フォワードリンクおよびリバースリンク上での送信を通して、１つ以上の基地局と通信する。フォーワードリンク（すなわちダウンリンク）は、基地局から端末への通信リンクのことを意味し、リバースリンク（すなわちアップリンク）は、端末から基地局への通信リンクのことを意味する。これらの通信リンクは、単一入力単一出力、複数入力単一出力、または複数入力複数出力（ＭＩＭＯ）システムによって確立されてもよい。
【０００５】
ワイヤレス標準規格は、アップリンク送信のために、各ユーザ機器（ＵＥ）によって利用される送信電力を制御および制限するための電力制御技術を含んでいてもよい。例えば、ＬＴＥ標準規格において規定されている電力制御技術は、ＵＥのすべてのアンテナに対して使用されてもよい、単一の共通電力値を、各ＵＥに対して発生させる。しかしながら、ＵＥの異なるアンテナは、異なる時点において、異なるフェージング環境を経験するかもしれない。
【概要】
【０００６】
本開示のある態様は、ワイヤレス通信のための方法を提供する。方法は、ユーザ機器の複数のアンテナからの送信を受信することと、複数のアンテナからの送信電力のアンバランスに基づいている差分電力制御メッセージを送信することとを含む。
【０００７】
本開示のある態様は、ワイヤレス通信のための装置を提供する。装置は、ユーザ機器の複数のアンテナからの送信を受信する手段と、複数のアンテナからの送信電力のアンバランスに基づいている差分電力制御メッセージを送信する手段とを備える。
【０００８】
本開示のある態様は、ワイヤレス通信のための装置を提供する。装置は、ユーザ機器の複数のアンテナからの送信を受信し、複数のアンテナからの送信電力のアンバランスに基づいている差分電力制御メッセージを送信するように構成されている少なくとも１つのプロセッサを備える。
【０００９】
ある態様は、ワイヤレス通信のためのコンピュータプログラムプロダクトを提供する。コンピュータプログラムプロダクトは、その上に記憶されている命令を有するコンピュータ読み取り可能記憶媒体を含み、命令は、ユーザ機器の複数のアンテナからの送信をコンピュータに受信させ、複数のアンテナからの送信電力の知覚されたアンバランスに基づいている差分電力制御メッセージをコンピュータに送信させるためのものである。
【００１０】
本開示のある態様は、ワイヤレス通信のための方法を提供する。方法は、ユーザ機器の複数のアンテナからの送信電力のアンバランスに基づいている差分電力制御メッセージを、基地局から受信することと、メッセージに基づいて、複数のアンテナのうちの１つ以上からの送信電力を変えることによってアンバランスを補償することとを含む。
【００１１】
本開示のある態様は、ワイヤレス通信のための装置を提供する。装置は、ユーザ機器の複数のアンテナからの送信電力のアンバランスに基づいている差分電力制御メッセージを受信する手段と、メッセージに基づいて、複数のアンテナのうちの１つ以上からの送信電力を変えることによってアンバランスを補償する手段とを備える。
【００１２】
本開示のある態様は、ワイヤレス通信のための装置を提供する。装置は、一般的に、ユーザ機器の複数のアンテナからの送信電力のアンバランスに基づいている差分電力制御メッセージを受信し、メッセージに基づいて、複数のアンテナのうちの１つ以上からの送信電力を変えることによってアンバランスを補償するように構成されている少なくとも１つのプロセッサを備える。
【００１３】
ある態様は、ワイヤレス通信のためのコンピュータプログラムプロダクトを提供する。コンピュータプログラムプロダクトは、その上に記憶されている命令を有するコンピュータ読み取り可能記憶媒体を含み、命令は、ユーザ機器の複数のアンテナからの送信電力のアンバランスに基づいている差分電力制御メッセージをコンピュータに受信させ、メッセージに基づいて、複数のアンテナのうちの１つ以上からの送信電力を変えることによってアンバランスをコンピュータに補償させるためのものである。
【００１４】
本開示のさまざまな態様および特徴を、以下でさらに詳細に記述する。
【図面の簡単な説明】
【００１５】
本開示の先に記載した特徴を詳細に理解できるように、先で簡潔に要約したより詳細な説明が、態様に対する参照により得られる。この態様のうちのいくつかは、添付図面中で図示した。しかしながら、添付図面は、本開示のある典型的な態様のみを図示しており、それゆえ、その範囲を限定するものとして考えられるものではなく、説明のために、他の同等に効率的な態様を認めてもよいことに留意すべきである。  
【図１】図１は、本開示のある態様にしたがった、多元接続ワイヤレス通信システムのブロックダイヤグラムを図示している。
【図２】図２は、本開示のある態様にしたがった、ワイヤレス通信システムのブロックダイヤグラムを図示している。
【図３】図３は、本開示のある態様にしたがった、Ｐoutに対する、複数状態電力増幅器（ＰＡ）の電流の関係を図示している。
【図４】図４は、本開示のある態様にしたがった、ユーザ機器（ＵＥ）と基地局とを図示している。
【図５】図５は、本開示のある態様にしたがった、ＵＥの複数のアンテナからの送信電力の知覚されたアンバランスに基づいている差分電力制御メッセージ（ＤＰＣＭ）を送信するための方法を説明している。
【図６】図６は、本開示のある態様にしたがった、ＤＰＣＭを受信した際に、ＵＥの複数のアンテナから送信された電力のアンバランスを補償するための方法を説明している。
【図７】図７は、本開示のある態様にしたがった、伝導電力と放射電力とのためのテストポイントを図示している。
【図８】図８は、本開示のある態様にしたがった、異なるアンテナのアンバランスのソースを図示している。
【図９】図９は、本開示のある態様にしたがった、異なる基地局へのパス損失の項を図示している。
【図１０】図１０は、本開示のある態様にしたがった、電力制御基準ポイントを図示している。
【詳細な説明】
【００１６】
マルチアンテナ送信システムでは、複数のアンテナからの受信電力が、同じでないことがある。電力のアンバランスの一因となる例は、ＵＥの電力設定エラー、アンテナ利得アンバランス（ＡＧＩ）、シャドーイング、本体損失、ならびに短期的および長期的フェードを含む。いくつかの態様では、アンバランスは、受信機からフィードバックされる訂正を適用することによって補償されてもよい。このような訂正を行うことは、低い送信電力レベルでは十分であるかもしれないが、高い送信電力レベルでの電力消費およびバッテリー寿命には好ましくないかもしれない。いくつかの態様では、訂正は、受信機によって観測およびフィードバックされるアンバランスの関数だけではなく、現在の送信電力の関数でもあってもよい。現在の送信電力は、送信機によって正確に知られているかもしれない。したがって、高電力レベルでの、アンバランス補償のレンジ圧縮は、送信機によって実行されてもよい。
【００１７】
コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一搬送波ＦＤＭＡ（ＳＣ−ＦＤＭＡ）ネットワーク等のような、さまざまなワイヤレス通信ネットワークに対して、ここで記述した技術を使用できる。“ネットワーク”および“システム”という用語は、互換性があるように使用されることが多い。ＣＤＭＡネットワークは、ユニバーサル地上無線アクセス（ＵＴＲＡ）、ＣＤＭＡ２０００等のような無線技術を実現できる。
【００１８】
ＵＴＲＡは、ワイドバンド−ＣＤＭＡ（Ｗ−ＣＤＭＡ）および低チップレート（ＬＣＲ）を含む。ＣＤＭＡ２０００は、ＩＳ−２０００、ＩＳ−９５およびＩＳ−８５６標準規格をカバーする。ＴＤＭＡネットワークは、グローバルシステムフォーモバイル通信（ＧＳＭ）（登録商標）のような無線技術を実現できる。ＯＦＤＭＡネットワークは、進化したＵＴＲＡ（Ｅ−ＵＴＲＡ）、ＩＥＥＥ８０２．１１、ＩＥＥＥ８０２．１６、ＩＥＥＥ８０２．２０、フラッシュ−ＯＦＤＭ等のような無線技術を実現できる。ＵＴＲＡ、Ｅ−ＵＴＲＡおよびＧＳＭは、ユニバーサル移動体電気通信システム（ＵＭＴＳ）の一部である。ＬＴＥは、Ｅ−ＵＴＲＡを使用するＵＭＴＳのリリースである。ＵＴＲＡ、Ｅ−ＵＴＲＡ、ＧＳＭ、ＵＭＴＳおよびＬＴＥは、“第３世代パートナーシッププロジェクト”（３ＧＰＰ）と名付けられている機関による文書中に記述されている。ＣＤＭＡ２０００は、“第３世代パートナーシッププロジェクト２”（３ＧＰＰ２）と名付けられている機関による文書中に記述されている。明確にするために、技術のいくつかの態様をＬＴＥについて以下で記述し、以下の記述の大部分ではＬＴＥの専門用語を使用する。
【００１９】
単一搬送波周波数分割多元接続（ＳＣ−ＦＤＭＡ）は、単一搬送波変調および周波数ドメイン等化を利用する。ＳＣ−ＦＤＭＡ信号は、この固有の単一搬送波構造であるために、より低いピーク対平均電力比（ＰＡＰＲ）を有する。特に、より低いＰＡＰＲが送信電力効率の点で移動端末に大いに利益をもたらすアップリンク通信では、ＳＣ−ＦＤＭＡが、大きな注目を集めている。ＬＴＥでは、アップリンク多元接続スキームに対して、ＳＣ−ＦＤＭＡを使用する。
【００２０】
ＭＩＭＯシステムは、データ送信のために、複数（ＮT本）の送信アンテナおよび複数（ＮR本）の受信アンテナを用いる。ＮT本の送信アンテナおよびＮR本の受信アンテナによって形成されるＭＩＭＯチャネルは、ＮS個の独立チャネルに分解されてもよく、これは空間チャネルとも呼ばれ、ここで、ＮS≦ｍｉｎ｛ＮT，ＮR｝である。ＮS個の独立チャネルのそれぞれは、次元に対応する。複数の送信および受信アンテナによって生成される付加的な次元が利用される場合、ＭＩＭＯシステムは、改善した性能（例えば、より高いスループットおよび／またはより高い信頼性）を提供できる。
【００２１】
ＭＩＭＯシステムは、時分割複信（ＴＤＤ）および周波数分割複信（ＦＤＤ）システムをサポートする。ＴＤＤシステムでは、相反原理によって、リーバスリンクチャネルからフォワードリンクチャネルの推定が可能になるように、フォワードおよびリバースリンク送信は同じ周波数領域上でなされる。これによって、複数のアンテナがアクセスポイントにおいて利用可能であるときに、アクセスポイントが、フォワードリンク上での送信ビームフォーミング利得を抽出することが可能になる。
【００２２】
図１を参照すると、本開示のある態様にしたがった、多元接続ワイヤレス通信システムを図示している。アクセスポイント１００（ＡＰ）は、複数のアンテナグループを含み、１つのグループは１０４と１０６とを含み、別のグループは１０８と１１０とを含み、付加的なグループは１１２と１１４とを含む。図１では、各アンテナグループに対して、アンテナを２本のみ示しているが、各アンテナグループに対して、より多くのアンテナを、または、より少ないアンテナを利用できる。アクセス端末１１６（ＡＴ）（例えば、ＵＥ）は、アンテナ１１２および１１４と通信しており、ここで、アンテナ１１２および１１４は、フォワードリンク１２０を通して、アクセス端末１１６に情報を送信し、リバースリンク１１８を通して、アクセス端末１１６から情報を受信する。アクセス端末１２２は、アンテナ１０６および１０８と通信しており、ここで、アンテナ１０６および１０８は、フォワードリンク１２６を通して、アクセス端末１２２に情報を送信し、リバースリンク１２４を通して、アクセス端末１２２から情報を受信する。ＦＤＤシステムでは、通信リンク１１８、１２０、１２４、および１２６は、通信のために、異なる周波数を使用できる。例えば、フォワードリンク１２０は、リバースリンク１１８によって使用される周波数とは異なる周波数を使用できる。いくつかの態様では、アクセス端末１１６、１２２が、上述した動作を実行してもよく、ここで、高電力レベルでの、アンバランス補償のレンジ圧縮が、端末１１６、１２２によって実行されてもよい。
【００２３】
通信するように設計されている、アンテナおよび／またはエリアの各グループは、アクセスポイントのセクタと呼ばれることが多い。１つの態様では、アンテナグループそれぞれが、アクセスポイント１００によってカバーされているエリアのセクタ中のアクセス端末と通信するように設計されている。
【００２４】
フォワードリンク１２０および１２６を通しての通信では、異なるアクセス端末１１６および１２２に対するフォワードリンクの信号対ノイズ比を改善するために、アクセスポイント１００の送信アンテナは、ビームフォーミングを利用する。また、そのカバレッジを通して分散されているアクセス端末への送信にビームフォーミングを使用するアクセスポイントは、単一のアンテナを通してすべてのアクセス端末に送信するアクセスポイントよりも、隣接セル中のアクセス端末に、より少ない干渉をもたらす。
【００２５】
アクセスポイントは、端末と通信するために使用される固定局とすることができ、また、基地局、ノードＢ、進化型ノードＢ（ｅＮＢ）と呼ぶことがあり、または、他の何らかの専門用語で呼ぶこともある。アクセス端末はまた、移動局、ＵＥ、ワイヤレス通信デバイス、端末、アクセス端末と呼ぶことがあり、または他のいくつかの専門用語で呼ぶこともある。
【００２６】
図２は、ＭＩＭＯシステム２００における、（アクセスポイントとも呼ばれる）送信機システム２１０と、（アクセス端末とも呼ばれる）受信機システム２５０との態様のブロックダイヤグラムである。送信機システム２１０において、多数のデータストリームに対するトラフィックデータが、データソース２１２から送信（ＴＸ）データプロセッサ２１４に提供される。
【００２７】
１つの態様では、各データストリームが、それぞれの送信アンテナを通して送信される。ＴＸデータプロセッサ２１４は、各データストリームに対して選択された特定のコーディングスキームに基づいて、各データストリームに対するトラフィックデータをフォーマットし、コード化し、インターリーブして、コード化されたデータを提供する。
【００２８】
各データストリームに対するコード化されたデータは、ＯＦＤＭ技術を使用して、パイロットデータにより多重化されてもよい。パイロットデータは、典型的に、既知の方法で処理され、チャネル応答を推定するために受信機システムにおいて使用されることもある、既知のデータパターンである。その後、各データストリームに対して選択された特定の変調スキーム（例えば、２位相シフトキーイング（ＢＰＳＫ）、直角位相シフトキーイング（ＱＰＳＫ）、Ｍ−ＰＳＫ、または直角振幅変調（Ｍ−ＱＡＭ））に基づいて、各データストリームに対する、多重化されたパイロットおよびコード化されたデータは、変調（すなわち、シンボルマッピング）されて、変調シンボルが提供される。各データストリームに対する、データレート、コーディングおよび変調を、プロセッサ２３０によって実行される命令によって決定してもよい。メモリ２３２は、送信機システム２１０に対する、データとプログラムコードとを記憶してもよい。
【００２９】
すべてのデータストリームに対する変調シンボルは、その後、ＴＸ ＭＩＭＯプロセッサ２２０に提供され、ＴＸ ＭＩＭＯプロセッサ２２０は、（例えば、ＯＦＤＭのために）変調シンボルをさらに処理できる。ＴＸ ＭＩＭＯプロセッサ２２０は、その後、ＮT個の変調シンボルストリームをＮT個の送信機（ＴＭＴＲ）２２２ａないし２２２ｔに提供する。ある実施形態では、ＴＸ ＭＩＭＯプロセッサ２２０は、データストリームのシンボルに、および、シンボルが送信されているアンテナに、ビームフォーミング重みを適用する。
【００３０】
各送信機２２２は、それぞれのシンボルストリームを受け取り、処理して、１つ以上のアナログ信号を提供し、アナログ信号をさらに調整（例えば、増幅、フィルタリング、およびアップコンバート）して、ＭＩＭＯチャネルを通した送信に適した変調信号を提供する。送信機２２２ａないし２２２ｔからのＮT個の変調信号は、その後、それぞれ、ＮT本のアンテナ２２４ａないし２２４ｔから送信される。いくつかの態様では、ここでさらに記述するように、差分電力制御メセージ（ＤＰＣＭ２０２）が、アンテナ２２４ａないし２２４ｔから送信されてもよい。
【００３１】
受信機システム２５０において、変調され送信された信号が、ＮR本のアンテナ２５２ａないし２５２ｔによって受信され、各アンテナ２５２からの受信信号が、それぞれの受信機（ＲＣＶＲ）２５４ａないし２５４ｒに提供される。各受信機２５４は、それぞれの受信信号を調整（例えば、フィルタリング、増幅、およびダウンコンバート）し、調整した信号をデジタル化してサンプルを提供し、サンプルをさらに処理して、対応する“受信”シンボルストリームを提供する。
【００３２】
ＲＸデータプロセッサ２６０は、その後、ＮR個の受信機２５４からＮR個の受信シンボルストリームを受け取り、特定の受信機処理技術に基づいて処理して、ＮT個の“検出した”シンボルストリームを提供する。ＲＸデータプロセッサ２６０は、その後、各検出したシンボルストリームを復調し、デインターリーブし、デコードして、データストリームに対するトラフィックデータを復元する。ＲＸデータプロセッサ２６０による処理は、送信機システム２１０における、ＴＸ ＭＩＭＯプロセッサ２２０およびＴＸ データプロセッサ２１４によって実行される処理に相補的である。
【００３３】
プロセッサ２７０は、どのプリコーディング行列を使用するかを周期的に決定する。プロセッサ２７０は、行列インデックス部分とランク値部分とを含む、リバースリンクメッセージを構築する。メモリ２７２は、受信機システム２５０に対する、データとプログラムコードとを記憶してもよい。
【００３４】
リバースリンクメッセージは、通信リンクおよび／または受信データストリームに関するさまざまなタイプの情報を含むことができる。リバースリンクメッセージは、その後、ＴＸデータプロセッサ２３８によって処理される。ＴＸデータプロセッサ２３８はまた、多数のデータストリームに対するトラフィックデータをデータソース２３６から受け取り、これは、変調器２８０によって変調され、送信機２５４ａないし２５４ｒによって調整され、送信機システム２１０に返信される。
【００３５】
送信機システム２１０において、受信機システム２５０によって送信されたリバースリンクメッセージを抽出するために、受信機システム２５０からの変調信号が、アンテナ２２４によって受信され、受信機２２２によって調整され、復調器２４０によって復調され、ＲＸデータプロセッサ２４２によって処理される。プロセッサ２３０は、プリコーディング行列を使用して、抽出されたメッセージに対してビームフォーミングを実行する。いくつかの態様では、ここでさらに記述するように、サウンディング基準信号（ＳＲＳ２０４）が、アンテナ２５２ａないし２５２ｒによって送信されてもよく、送信機システム２１０において測定されてもよい。
【００３６】
マルチアンテナ送信システムでは、複数のアンテナからの受信電力が、同じでないかもしれない。電力のアンバランスの一因となる例は、ユーザ機器（ＵＥ）電力設定エラー、アンテナ利得アンバランス（ＡＧＩ）、シャドーイング、本体損失、ならびに短期的および長期的フェードを含む。いくつかの態様では、アンバランスは、受信機からフィードバックされる訂正を適用することによって補償されてもよい。このような訂正を行うことは、低い送信電力レベルでは十分であるかもしれないが、高い送信電力レベルでの電力消費およびバッテリー寿命には好ましくないかもしれない。いくつかの態様では、訂正は、受信機によって観測およびフィードバックされるアンバランスの関数だけではなく、現在の送信電力の関数でもあってもよい。現在の送信電力は、送信機によってのみ正確に知られているかもしれない。したがって、高い電力レベルでの、アンバランス補償のレンジ圧縮は、送信機によって実行されてもよい。
【００３７】
アップリンクＭＩＭＯは、例えば、電力制御方程式の適用可能性のポイント（例えば、コードワードごとの、レイヤごとの、アンテナごとの、または総送信ごとの、電力制御）のような電力制御の公式化の、および、電力制御方程式中の各項（例えば、アンテナごとのパス損失またはアンテナに対する平均；コードワードごとの、レイヤごとのトランスポートフォーマット（ＴＦ）デルタ項、あるいは、平均のＴＦデルタ）の公式化の、多数の態様に影響を与えることがある。一般的に、ＬＴＥにおけるような、ＬＴＥアドバンスド（ＬＴＥ−Ａ）における電力制御は、反作用する低速なフェード、シャドーイングの変化をターゲットとしていてもよく、反転する短期的フェードと対照的に、セル間干渉調整（ＩＣＩＣ）のイネーブラとして機能していてもよい。セル内のユーザは、（マルチユーザＭＩＭＯ（ＭＵ−ＭＩＭＯ）を確保して）直交化されてもよい。したがって、電力変動は、セル間にしか影響を与えないかもしれない。
【００３８】
理想的なケースでは、ＵＥからのＭＩＭＯアンテナからの、ｅＮＢにおける平均受信電力は、同じであるべきである。Ｒｅｌ−８の電力制御の公式化は、多かれ少なかれ適用可能になり、実行する必要はあまりないだろう。しかしながら、以下でさらに記述するシチュエーションでは、ＭＩＭＯアンテナからの電力は、等しくないかもしれない。いくつかの態様では、電力制御は、リンクスループットを最大にしながら、ＵＥバッテリー電力を効率的に利用すること（メトリックＡ）と、Ｅ−ＵＴＲＡＮリソースを効率的に使用すること（メトリックＢ）との間のトレードオフに基づいていてもよい。
【００３９】
いくつかの態様では、バッテリー消費が出力電力（Ｐout）に比例している（これは、一般的なケースでないかもしれない）と仮定すると、適切なメトリックは、アンテナ全体にわたった一定の長期の伝導電力合計の制約の下で、異なる電力制御スキームのリンクのパフォーマンスを評価することであってもよい（メトリックＡ）。この条件の下で、適切なスキームは、ランク１の送信に対して、（および、複数のアンテナにマッピングされるレイヤ、例えば、ランク送信２に対して）チャネル利得が重み付けされるＰoutの割り振りであってもよく、１よりも大きいランク送信に対して、注水（ｗａｔｅｒ ｆｉｌｌｉｎｇ）であってもよい。
【００４０】
いくつかの態様では、（例えば、低電力領域では、電力増幅器（ＰＡ）の電力は、他のＵＥブロックの電力消費と比較して取るに足らないかもしれないことから）バッテリー消費がファクターでないと仮定すると、適切なメトリックは、アンテナ全体にわたって長期的に放射される電力の合計が同じであるという制約の下で、異なる電力制御スキームのリンクのパフォーマンスを評価することであってもよい（メトリックＢ）。この条件の下で、仮定は、（シグナリングオーバーヘッドを除いて）コストなしでＡＧＩを取り除くことに相当するかもしれないことから、ＡＧＩの完全反転と、シャドーイングの反転は、適切な結果につながるかもしれない。電力制御のトレードオフは、異なるＰout領域では異なっていてもよい。
【００４１】
図３は、本開示のある態様にしたがった、複数のステージにおけるＰＡ電流の関係を図示しているグラフである。低電力領域においてＵＥが動作するとき、送信チェーンの電力消費は、ＵＥの電力使用を支配しないかもしれない。したがって、バッテリー寿命を決定しないかもしれない。例えば、０ｄＢｍよりも低い（例えば、３０２より下である）Ｐoutでは、ＰＡの電力消費は、取るに足らないかもしれず、静止電流によって支配されているかもしれない（すなわち、Ｐoutに依存しないかもしれない）。０ｄＢｍ以上であり、かつ、１０ｄＢｍよりも低い（例えば、３０２と３０４との間の）Ｐoutでは、ＰＡの電力消費は、Ｐoutに依存しているかもしれないが、総電力消費において、ほどほどに有意なファクターに過ぎないかもしれない。しかしながら、１０ｄＢｍ以上の（例えば、３０４と３０６との間の）Ｐoutでは、ＰＡは、総電力消費に対する有意な要因であってもよく、ＰＡの電力は、Ｐoutに強く依存（例えば、Ｐoutの平方根に比例）していてもよい。いくつかの態様では、電力制御のストラテジーの評価の目的のために、１０ｄＢｍ以上のＰoutに対しては、メトリックＡを使用してもよく（すなわち、ＵＥのバッテリー電力を効率的に利用する）、１０ｄＢｍよりも低いＰoutに対しては、メトリックＢを使用してもよい（すなわち、Ｅ−ＵＴＲＡＮリソースを効率的に使用する）。
【００４２】
図４は、ここで記述する、高電力レベルでの、アンバランス補償のレンジ圧縮を実行できる、基地局（ＢＳ）４１０（例えば、ｅＮＢ）とＵＥ４２０とを備えるシステム４００の例を図示している。図示されているように、ＵＥ４２０は、ＳＲＳ発生モジュール４２４を備えていてもよい。ＳＲＳ発生モジュール４２４は、送信機モジュール４２２を通してＢＳ４１０に送信されることになる１つ以上のＳＲＳを発生させてもよい。ＢＳ４１０は、受信機モジュール４１６を通して、ＳＲＳを受信してもよい。ＢＳ４１０は、ＳＲＳ処理モジュール４１４を通してＳＲＳを測定した後に、差分電力制御メッセージ（ＤＰＣＭ）を構成してもよい。ＤＰＣＭは、送信機モジュール４１２を通して、ＵＥ４２０に送信されてもよい。
【００４３】
この方法では、ＵＥ４２０における電力のアンバランスは、ＢＳ４１０からフィードバックされるＤＰＣＭを適用することによって補償されてもよい。上述したように、補償は、ＢＳ４１０によって観測およびフィードバックされるアンバランスの関数だけではなく、ＵＥ４２０における現在の送信電力の関数でもあってもよい。現在の送信電力は、ＵＥ４２０によってのみ正確に知られていてもよい。したがって、高電力レベルにおける、アンバランス補償のレンジ圧縮が、ＵＥ４２０によって実行されてもよい。
【００４４】
図５は、本開示のある態様にしたがった、ＵＥの複数のアンテナからの送信電力の知覚されたアンバランスに基づいている差分電力制御メッセージ（ＤＰＣＭ）を送信するための方法５００を図示している。動作５００は、例えば、ＤＰＣＭを送るために担当ｅＮＢによって実行されてもよい。
【００４５】
５０２において、担当ｅＮＢが、ＵＥの複数のアンテナからの送信を受信してもよい。いくつかの態様では、この送信は、ＵＥのアンテナのそれぞれからのＳＲＳであってもよい。他の態様では、この送信は、ＵＥのアンテナのそれぞれからの復調基準信号（ＤＭ−ＲＳ）であってもよい。
【００４６】
５０４において、担当ｅＮＢが、複数のアンテナからの送信電力の知覚されたアンバランスに基づいているＤＰＣＭを送信してもよい。
【００４７】
図６は、本開示のある態様にしたがった、ＤＰＣＭを受信した際に、ＵＥの複数のアンテナからの送信電力のアンバランスを補償するための方法６００を図示している。動作６００は、例えば、送信電力依存アンバランス補償のためにＵＥによって実行されてもよい。
【００４８】
６０２において、ＵＥが、ＵＥの複数のアンテナからの送信電力のアンバランスに基づいている差分電力制御メッセージを、ＢＳ（例えば、担当ｅＮＢ）から受信してもよい。いくつかの態様では、メッセージは、共通の値と、差分値とを含んでいてもよい。共通の値は、ＵＥのすべてのアンテナに適用されてもよい。いくつかの態様では、共通の値および差分値に対する更新レートは異なっていてもよい。例えば、差分値は、共通の値よりも頻度が少なく受信されてもよい。
【００４９】
６０４において、メッセージに基づいて、ＵＥは、複数のアンテナのうちの１つ以上からの送信電力を変えることによってアンバランスを補償してもよい。いくつかの態様では、アンバランスに対する補償は、差分値に基づいていてもよい。いくつかの態様では、アンバランスに対する補償は、差分値と、前に受信した差分値との組み合せに基づいていてもよい。いくつかの態様では、アンバランスに対する補償は、以下で記述するように、ＵＥの現在の送信電力に基づいていてもよい。いくつかの態様では、ＵＥの送信電力は、複数のアンテナのうちの１つ以上からの送信電力を変える際に同じままであってもよい。いくつかの態様では、ＵＥの送信電力は、ＵＥの複数のアンテナからの送信電力の合計に等しくてもよい。いくつかの態様では、アンバランスに対する補償は、複数のアンテナのそれぞれからのＳＲＳに適用されてもよい。
【００５０】
オプションとして、６０６において、ＵＥは、複数のアンテナのそれぞれに対する受信したダウンリンクのパス損失測定値に基づいて、パス損失を決定してもよい。６０８において、複数のアンテナのそれぞれに対する測定値に基づいて、ＵＥは、複数のアンテナのうちの１つ以上からの送信電力を変えることによってパス損失を補償してもよい。
【００５１】
図７は、本開示のある態様にしたがった、伝導電力および放射電力のための、テストポイントの例を図示している。ＡＧＩ補償を有する電力制御およびＡＧＩ補償を有さない電力制御が、例えば、０ｄＢ、３ｄＢおよび６ｄＢ ＡＧＩで評価されてもよい。いくつかの態様では、評価は、スループットと信号対ノイズ比（ＳＮＲ）との間の比較に基づいていてもよく、ここで、ＳＮＲの‘信号’成分は、メトリックＡによる伝導電力と、メトリックＢによる放射電力とを考慮することに基づいていてもよい。高電力（例えば、１０ｄＢｍ以上のＰout）において、メトリックＡの下で、アンテナに対するＡＧＩ補償は、スループットを低減させ得る。例えば、ＡＧＩ補償により、高ＳＮＲでは、損失は、２．５ｄＢまであるかもしれない。しかしながら、低電力（例えば、１０ｄＢｍよりも低いＰout）では、メトリックＢの下で、アンテナに対するＡＧＩ補償が、スループットを増加させることができる。例えば、ＡＧＩ補償により、利得は、１ｄＢまであるかもしれない。
【００５２】
いくつかの態様では、無線によるＡＧＩ補償の能力が追加されてもよい。これは、ｅＮＢによってＵＥに送られる電力オフセットコマンドによって達成できる。オフセットは、正規の（すなわち、コードワードごとの、または、アンテナ全体にわたった全部の）電力制御に加えて適用されるべき、伝導された送信電力間の‘静的な’電力オフセットとして解釈されてもよい。ＡＧＩ補償は、正規の電力制御よりも大幅に低いレートで行われてもよく、ＡＧＩ補償を適用する暗黙的なアクション時間は必要とされないかもしれない。しかしながら、バッテリー寿命への、ＡＧＩ補償の負の影響に起因して、スライディングスケールまたはステップ関数を、ＡＧＩ補償レンジに対して規定してもよい。例えば、ＵＥは、
２３ｄＢｍ＞Ｐout≧２０ｄＢｍの場合、０ｄＢ
２０ｄＢｍ＞Ｐout≧１５ｄＢｍの場合、２ｄＢ
１５ｄＢｍ＞Ｐout≧１０ｄＢｍの場合、３ｄＢ、および、
１０ｄＢｍ＞Ｐoutの場合、６ｄＢ
としてＡＧＩ補償を限定してもよい。
【００５３】
ＵＥにおける送信機のＡＧＩは、ｅＮＢにおける、長期的な受信電力のアンバランスの共通ソースである。ＡＧＩは重要なファクターであるかもしれないが、アンバランスの他の原因は、ＵＥによって送信された電力較正エラー、シャドーイングおよびパス損失を含む。
【００５４】
図８は、本開示のある態様にしたがった、異なる、アンテナアンバランスの原因を図示している。低電力レベルにおける、ＵＥにより送信された電力の較正エラーに対して、ＵＥの実際の出力電力を測定するための回路は、非効率的であるかもしれない。したがって、ＵＥは、実際は、その出力電力を正確に知らないかもしれない。このことは、まったくＡＧＩを有さなくても、それ自体でアンバランスを生むかもしれない。いくつかの態様では、このようなエラーは、ｅＮＢのフィードバックによって補償され得る。ＡＧＩに対して、ＵＥは、設計により、‘１次’および‘２次’チェーンに対して、異なる品質のアンテナを持っていてもよい。標準規格は、この差異に対して適切な制限を設定してもよい。いくつかの態様では、このような差異は、低電力領域では補償されるかもしれないが、高電力領域では補償されないかもしれない。シャドーイングおよびパス損失に対して、異なるＵＥアンテナが、例えば、異なる本体損失を受けるかもしれない。しかしながら、これらの差異は、以下で説明するように、補償されるかもしれず、または、補償されないかもしれない。
【００５５】
低電力レベルにおける、ＵＥにより送信された電力の較正エラーに対して、実際の出力電力を測定するための回路は、非効率的であるかもしれない。したがって、ＵＥは、実際には、出力電力を正確に知らないかもしれない。許されるＵＥの電力設定エラーの例は、以下に与えられる（表１）。
【表１】
2013531412.tif 000003
【００５６】
中間から低い電力領域では、ＵＥの電力設定エラーが、かなり大きいかもしれない。２つの送信機チェーン上の伝導電力間では、±１４ｄＢがありうるかもしれない。上記の表において与えられている許容差は、ＵＥの最大電力に対するものであり、ＵＥの電力設定には直接的に適用可能でないかもしれない。しかしながら、それらは、予想されるＵＥの絶対電力設定許容差の良好な指示として見てもよい。
【００５７】
許される（および予想される）電力設定エラーは、かなり大きいかもしれないが、整合性のあるコンポーネントが使用される場合には、エラーは、２つの送信機チェーンにわたって対称的であるかもしれない。予想される相対的な電力設定エラーが大きい場合、無線による相対的な電力補償のための、明確な使用ケースであるかもしれない。ＡＧＩ補償とは異なり、シグナリングオーバーヘッドは別として、バッテリー寿命コストがないかもしれない。しかしながら、電力設定エラーは、電力レンジ全体にわたって一定ではなく、そのことは、ＵＬ ＲＢの割り振りサイズが、それゆえに、ＵＥにより送信される電力が広く変化する場合に、補償の有用性を低くするかもしれないことを考慮すべきである。
【００５８】
いくつかの態様では、アンテナごとのダウンリンク（ＤＬ）のパス損失の測定と、アンテナごとの開ループ電力制御とを、ＤＬ測定に基づいてイネーブルにしてもよい。このようなメカニズムの利益は、無線によるシグナリングオーバーヘッドが何もなくても、ＡＧＩとパス損失との両方の差異を自動的に補償できることである。このことは、アンテナごとの開ループコンポーネントを魅力的な選択にするかもしれない。しかしながら、以下で記述するように、アンテナごとのパス損失補償に関するいくつかの問題があるかもしれない。
【００５９】
パス損失は、送信された電力較正エラーを取り込まないかもしれない。したがって、付加的な閉ループ補償スキームが必要とされるかもしれない。高電力レベルでは、パス損失補償は、バッテリー寿命に好ましくないかもしれない。したがって、高電力ケースの場合には、平均的なパス損失に切り替えることが有益であるかもしれない。
【００６０】
パス損失測定値は、受信機チェーンの較正エラーに敏感であるかもしれず、一般的には、大きい較正エラーを持つ。開ループ電力の許容差の要件の例が、以下（表２）で与えられる。
【表２】
2013531412.tif 000004
【００６１】
上記の許容差は、実施された測定に対するものである。したがって、ＵＥは、ＡＧＩがないときでさえも、大きい電力設定エラーを生じることが許容（および予想）されるかもしれない。最悪のケースを仮定すると、ＵＥは、ＡＧＩがないときでさえも、アンテナ開ループごとに、かなり大きい、±２４ｄＢの、電力のアンバランスを生むかもしれない。ＡＧＩの典型的なレンジを考慮すると、アンテナごとの開ループ補償は、ＡＧＩ自体よりも、より大きいエラーを生成するかもしれない。
【００６２】
表１および表２を比較することによって、アンテナごとの開ループパス損失の補償についての、余分な望まれていない項である、低ノイズ増幅器（ＬＮＡ）の較正エラーのために、おおよそ２ｄＢないし５ｄＢのレンジが予約されてもよい。エラーは、異なる送信機チェーンまたは受信機チェーンの間で、大きい程度の対称となるかもしれない。
【００６３】
図９は、本開示のある態様にしたがった、異なるｅＮＢに対するパス損失の項を図示している。パス損失のアンバランスは、担当ｅＮＢと、ＵＥが干渉しているかもしれない別のｅＮＢ（干渉ｅＮＢ）とに対して異なっているかもしれない。このケースでは、他のセル（例えば、干渉ｅＮＢ）への増加した干渉によって、担当ｅＮＢに対するリンクのパフォーマンスの利得が否定されるかもしれない。例えば、担当ｅＮＢへのリンクのパフォーマンス９０４ａ、９０４ｂにおける利得は、干渉ｅＮＢへの、増加した干渉９０２ａ、９０２ｂによって否定されるかもしれない。
【００６４】
いくつかの態様では、パス損失の差分が対称的であるとき、すなわち、以下の同等、PathLoss_00(dB)−PathLoss_01(dB)＝PathLoss_10(dB)−PathLoss_11(dB)が、おおよそ満たされるとき、パス損失の補償が意味をなす。特に、条件、PathLoss_00(dB)−PathLoss_01(dB)＞0、かつ、PathLoss_10(dB)−PathLoss_11(dB)＞PathLoss_00(dB)−PathLoss_01(dB)が当てはまるとき、担当ｅＮＢにおける受信信号は、絶対項においてでさえも、干渉ｅＮＢにおける受信干渉よりも多く増加するかもしれないことから、パス損失補償による大きい利得があるかもしれない。しかしながら、条件、PathLoss_00(dB)−PathLoss_01(dB)＞0、かつ、PathLoss_11(dB)−PathLoss_10(dB)＞PathLoss_00(dB)−PathLoss_01(dB)が当てはまる場合、所望の信号電力の増加よりも干渉が増加するかもしれないことから、パス損失補償は、いくつかの態様に対するシステム容量には好ましくないかもしれない。いくつかの態様では、アンテナごとのパス損失補償の適用は、Ｌ３シグナリングによってオプションにしてもよい。いくつかの態様では、アンテナごとのパス損失補償が実現される場合、パス損失補償は、ＵＬ電力制御構成により、ｅＮＢによってディセーブルされてもよい。
【００６５】
図１０は、本開示のある態様にしたがった、電力を制御するための電力制御基準ポイント１００２、１００４、１００６を図示している。Ｒｅｌ−８における、電力制御のための基準ポイントは、送信機チェーン全体が、仕様書目的のために線形であると考えられることから、任意のものであった。しかしながら、Ｒｅｌ−１０のＵＬ ＭＩＭＯでは、異なる基準ポイントを選ぶことは、異なる意味を持つことがある。例えば、あるＭＣＳ電力制御デルタが、所定のコードワードに対して計算される場合、デルタがコードワードのレイヤに適用されてもよい、または、むしろ、それらのレイヤのそれぞれに関係するアンテナに適用されてもよい。
【００６６】
ＰＵＳＣＨに対するＲｅｌ−８の電力制御は、以下：
【数１】
2013531412.tif 000005
【００６７】
のように与えられる。いくつかの態様では、以下のインデックスの注記：
ｉ：サブフレームインデックス、
ｋ：ＴＸアンテナインデックス
ｊ：（例えば、半永続的に、または、動的にスケジューリングされる等の）ＰＵＳＣＨ送信タイプ、および
ｍ：コードワードインデックス
を使用して、マルチアンテナ送信スキームは、以下のものであってもよい：
【数２】
2013531412.tif 000006
【００６８】
ここで、ＰMAX（Ｋ）は、アンテナごとの最大電力であり、ＭPUSCH（ｉ）は、サブフレームｉ中で有効な、物理アップリンク共有チャネル（ＰＵＳＣＨ）リソースの割り振りの帯域幅であり(クラスタを通して加算されてもよい)、Ｓ（ｉ，ｋ）は、プリコーダのスケールファクタであり、ＰO_PUSCH(ｊ)は、電力オフセットであり、ＰＬ（ｋ）は、アンテナＫ上でのパス損失の測定値であり、α（ｉ，ｋ）は、パス損失係数であり、ΔTF（ｉ，ｍ）は、コードワードｍに対する、サブフレームｉ中の送信フォーマットデルタであり、ｆ（ｉ）は、（すべてのアンテナにわたって共通な）送信電力制御（ＴＰＣ）であり、ｇ（ｉ,ｋ）は、（アンテナ間での相対的な電力を調整のみする）アンテナごとの相対的な電力制御であり、ｈ（ｌ（ｉ，ｍ））は、マルチレイヤ電力調整であり（ｌ（ｉ，ｍ）は、サブフレームｉ中のコードワードｍにおけるレイヤの数である）、Ｈ（Ｌ（ｉ））は、ＭＩＭＯ電力調整である（Ｌ（ｉ）は、サブフレームｉ中のレイヤの総数である）。
【００６９】
いくつかの態様では、
【数３】
2013531412.tif 000007
【００７０】
を使用してもよい。ここで、ＮTXは、ＵＥにおけるＴｘアンテナの数である。しかしながら、アンテナごとの電力制御が適用される場合、
【数４】
2013531412.tif 000008
【００７１】
を満たすように、ＰMAX（ｋ）は、他のアンテナ送信電力の関数であってもよい。総電力制限を維持するための、アンテナごとのスケーリングは、ＵＥ処理系依存であってもよいし、または、ＵＥ処理系依存でなくてもよい。
【００７２】
Ｓ（ｉ，ｋ）は、サブフレームｉ中で使用されるプリコーダに依存していてもよい。Ｓ（ｉ，ｋ）は、ターンオフファクタを効果的なものとするように実現するために必要であるかもしれない。いくつかの態様では、これは、送信プリコーディングマトリックス指示（ＴＰＭＩ）の変化に起因して、総電力ジャンプを３ｄＢにする。
【００７３】
ＰＬ（ｋ）は、Ｒｘパス全体にわたって組み合わせないものの、Ｒｅｌ−８におけるものと類似していてもよい。アンテナごとのエレメントは、ＮTX×１列ベクトルで配置されてもよい。
【００７４】
α（ｉ，ｋ）は、ＮTX×ＮTX係数‘行列’である。例えば、アンテナごとのパス損失補償は、
【数５】
2013531412.tif 000009
【００７５】
であるときにイネーブルされる。他の予め規定されたα（ｉ，ｋ）がありうるかもしれないが、オプションの数は、ほんの数個に限定されるかもしれない。パス損失ファクターは、アンテナ全体にわたって何らかの重み付け平均することを適用する前に線形に変換されてもよく、後に、ｄＢに戻すように変換されてもよい。
【００７６】
ΔTF（ｉ，ｍ）は、コードワードごとに決定され、コードワードの各レイヤに適用されてもよい。その後、各レイヤに対する係数が、そのレイヤに関係する各アンテナに適用されてもよい。
【００７７】
ｇ（ｉ，ｋ）は、より低速なレートで、かつ、動的レンジが限定されて送られてもよい。
【００７８】
ｈ（ｌ（ｉ，ｍ））は、ｌ（ｉ，ｍ）の関数であり、ここで、ｌ（ｉ，ｍ）は、サブフレームｉ中のコードワードｍにおけるレイヤの数である。その目的は、ΔTF（ｉ，ｍ）の目的に類似している。しかしながら、（ΔTFに対するＫSのような）固有の係数は、異なっているかもしれない。いくつかの態様では、ｈ（ｌ（ｉ，ｍ））＝１０ｌｏｇ10（ｌ（ｉ，ｍ））である。ｈ（ｌ（ｉ，ｍ））は、サブフレームｉ中で、プリコーダを通して、レイヤｌ（ｉ，ｍ）に関係する各アンテナｋに適用されてもよい。
【００７９】
Ｈ（Ｌ（ｉ））は、Ｌ（ｉ）の関数であり、ここで、Ｌ（ｉ）は、現在のサブフレーム中での、ＳＵ−ＭＩＭＯレイヤの総数である。安定した相関が、レイヤの数と、適切な第１の送信ブロックエラーレート（ＢＬＥＲ）を確実にするために必要とされる電力調整との間に存在すると判明した場合に、Ｈ（Ｌ（ｉ））は有用であるかもしれない。
【００８０】
上述の公式化では、マルチレイヤ電力制御調整（ｈ（ｌ（ｉ，ｍ）））は、ディセーブルされないかもしれない。しかしながら、マルチレイヤ電力制御をディセーブルすることが、Ｋsに類似する付加的なシグナリングされるパラメータにより達成されることもあり得る。
【００８１】
ΔTF（ｉ）に対する計算方法は、Ｒｅｌ−８中では、
【数６】
2013531412.tif 000010
【００８２】
として指定された。ここで、ＭＰＲは、
【数７】
2013531412.tif 000011
【００８３】
として計算される。
【００８４】
ＭＩＭＯケースでは、これは、（２までの）各コードワードｍに個々に適用するように修正してもよい。
【数８】
2013531412.tif 000012
【００８５】
ここで、ＭＰＲMは、
【数９】
2013531412.tif 000013
【００８６】
として計算される。ここで、ｌ（ｍ）は、コードワードｍ中のレイヤの数である。
【００８７】
上述した方法のさまざまな動作は、さまざまなハードウェアおよび／またはソフトウェアコンポーネントによって実行されてもよい。本開示に関連して記述した、さまざまな例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）または他のプログラマブルロジックデバイス（ＰＬＤ）、ディスクリートゲートまたはトランジスタロジック、ディスクリートハードウェアコンポーネント、あるいは、ここで記述した機能を実行するように設計されているこれらの任意の組み合わせで実現しても、あるいは、実行してもよい。汎用プロセッサはマイクロプロセッサであってもよいが、代替実施形態では、プロセッサは、何らかの商業的に利用可能なプロセッサ、制御装置、マイクロ制御装置、または状態機械であってもよい。プロセッサはまた、コンピューティングデバイスの組み合わせとして、例えば、ＤＳＰとマイクロプロセッサの組み合わせとして、複数のマイクロプロセッサとして、ＤＳＰコアに関連した１つ以上のマイクロプロセッサとして、あるいは、このような他の何らかの構成として実現してもよい。
【００８８】
本開示に関連して記述した、方法またはアルゴリズムのステップは、ハードウェアで、プロセッサによって実行されるソフトウェアモジュールで、または、２つのものを組み合わせたもので直接的に具体化されてもよい。ソフトウェアモジュールは、技術的に知られている、何らかの形態の記憶媒体中に存在していてもよい。使用してもよい記憶媒体のいくつかの例は、ランダムアクセスメモリ（ＲＡＭ）、リードオンリーメモリ（ＲＯＭ）、フラッシュメモリ、ＥＰＲＯＭメモリ、ＥＥＰＲＯＭメモリ、レジスタ、ハードディスク、リムーバルディスク、ＣＤ−ＲＯＭ等を含む。ソフトウェアモジュールは、単一の命令、または多くの命令を含んでいてもよく、異なるプログラムの中のいくつかの異なるコードセグメントにわたって、複数の記憶媒体全体にわたって分散させてもよい。記憶媒体は、プロセッサが記憶媒体から情報を読み取ったり、記憶媒体に情報を書き込んだりできるようにプロセッサに結合させてもよい。代替実施形態では、記憶媒体はプロセッサと一体化してもよい。
【００８９】
ここで開示した方法は、記述した方法を達成するための１つ以上のステップまたはアクションを含む。方法ステップおよび／またはアクションは、特許請求の範囲の範囲から逸脱せずに、互いに交換してもよい。すなわち、ステップまたはアクションの特定の順序の明記がない限り、特定のステップおよび／またはアクションの順序および／または使用は、特許請求の範囲の範囲から逸脱せずに変更してもよい。
【００９０】
ソフトウェアまたは命令はまた、送信媒体を通して送信してもよい。例えば、ソフトウェアが、ウェブサイトから、サーバから、あるいは、同軸ケーブル、ファイバ光ケーブル、撚り対、デジタル加入者線（ＤＳＬ）、または赤外線や、無線や、マイクロ波のようなワイヤレス技術を使用している他の遠隔ソースから送信された場合、同軸ケーブル、ファイバ光ケーブル、撚り対、ＤＳＬ、あるいは、赤外線や、無線や、マイクロ波のようなワイヤレス技術は、送信媒体の定義に含まれる。
【００９１】
さらに、ここで記述した、方法および技術を実行する、モジュールおよび／または他の適切な手段は、適用できるように、端末および／または基地局によって、ダウンロードできること、ならびに／あるいは、そうでなければ取得できることを正しく認識すべきである。例えば、このようなデバイスは、ここで記述した方法を実行する伝送の手段を促進するためのサーバに結合させることができる。代替的に、ここで記述したさまざまな方法は、記憶手段をデバイス結合または提供する際に、ユーザ端末および／または基地局がさまざまな方法を取得できるように、記憶手段（例えば、ＲＡＭ、ＲＯＭ、コンパクトディスク（ＣＤ）またはフロッピー（登録商標）ディスク等のような物理記憶媒体）を通して提供できる。さらに、ここで記述した方法および技術をデバイスに提供するための他の何らかの適した技術を利用できる。
【００９２】
特許請求の範囲は、先に説明した正確な構成およびコンポーネントに限定されないことを理解すべきである。さまざまな修正、変更、およびバリエーションは、特許請求の範囲の範囲から逸脱することなく、上述した方法および装置の、配置、動作、および詳細においてなされてもよい。
【図１】
2013531412.tif 000014
【図２】
2013531412.tif 000015
【図３】
2013531412.tif 000016
【図４】
2013531412.tif 000017
【図５】
2013531412.tif 000018
【図６】
2013531412.tif 000019
【図７】
2013531412.tif 000020
【図８】
2013531412.tif 000021
【図９】
2013531412.tif 000022
【図１０】
2013531412.tif 000023
【国際調査報告】
2013531412.tif 000024
2013531412.tif 000025